(57)【要約】【課題】容器本体の内部に、筆記具用インキを収容し、筆記具用インキを滞留するインキ滞留部を有したペン先保護用アダプターを挿着したインキ収容容器において、容器本体からペン先保護用アダプターを容易に取り出し易いようにする。【解決手段】ペン先保護用アダプター６の本体部８の挿入口７に近い側面８ａで、前記突片１９と周方向において９０度ずれた箇所に、指等を引っ掛かるための側面を貫通して設けた引っ掛け部２３を設ける。【選択図】図１
2011245690.tif 000002
【特許請求の範囲】
【請求項１】
容器本体の内部に、筆記具用インキを収容し、筆記具用インキを滞留するインキ滞留部を有したペン先保護用アダプターを挿着してなるインキ収容容器において、前記ペン先保護用アダプターの内壁面に、指や棒状体の先端を引っ掛けるための引っ掛け部を設けたことを特徴とするインキ収容容器。
【請求項２】
前記引っ掛け部を、指等が引っ掛かるための貫通孔で構成した、請求項１に記載のインキ収容容器。
【発明の詳細な説明】
【技術分野】
【０００１】
本発明は、筆記具用インキを収容したインキ収容容器に関する。
【背景技術】
【０００２】
万年筆用の筆記具用インキを収容したインキ収容容器については従来より知られており、こうしたインキ収容容器は、インキ瓶とも呼ばれているように容器本体が硬質のガラスで形成されているのが一般的である。万年筆に筆記具用インキを補給するには、万年筆のペン先部を容器本体内に挿入して筆記具用インキを吸入して補給するが、その際、ペン先を容器本体の内壁面に当てたりしてペン先を傷めてしまうという問題があった。
【０００３】
前記問題を解消するものとして、容器本体内に、内部にインキを滞留するインキ滞留部を有した軟質の合成樹脂で形成した器状のペン先保護用アダプターを挿着したインキ収容容器が提案され販売もされている。
【０００４】
前記ペン先保護用アダプターについては、特開２００７−７６１４４号公報や意匠登録第１１０８８５０号公報等により知られているが、図を用いて簡単に説明すると、図１および図３に示すように、ペン先保護用アダプター６は、万年筆等のペン先（図示せず）を挿入するための開口した挿入口７と反対側の底部１０を容器本体２の底部１１に形成した凹部１２に係止して、ペン先保護用アダプター６が容器本体２の内部に略垂直状態の姿勢で維持されるようにしてあり、容器本体２内の筆記具用インキ５をペン先保護用アダプター６のインキ滞留部２４に滞留するようにしてある。万年筆にインキを補給するには、ペン先保護用アダプター６のインキ滞留部２４にペン先部を挿入し、インキ滞留部２４内の筆記具用インキ５を吸入する。
【０００５】
一般的に、容器本体２にはキャップ３をねじ嵌合するための突出したキャップ嵌合部４を有しており、前記ペン先保護用アダプター６をキャップ嵌合部４内に挿入した構造としてある。容器本体２内の筆記具用インキ５の残量が少なくなってくると、キャップ嵌合部４にキャップ３をねじ嵌合してインキ収容容器１を傾けたり引っ繰り返す等して、ペン先保護用アダプター６のインキ滞留部２４に筆記具用インキ５を流動させて補給することが行われ、キャップ嵌合部４の内壁面と該内壁面に対向したペン先保護用アダプター６の外壁面との間に形成された微小隙間に毛細管現象により筆記具用インキ５が滞留し、時間の経過とともに滞留した筆記具用インキ５が乾燥して固化し、ペン先保護用アダプター６はキャップ嵌合部４の内壁面にくっついてしまっていた。
【０００６】
ところで、ガラス製のインキ収容容器は、容器本体はガラス製で、キャップや容器本体内に挿入されたペン先保護用アダプターは合成樹脂製で、廃棄する際はガラスと合成樹脂に分別する必要がある。合成樹脂製のキャップは、容器本体にねじ嵌合により着脱自在に設けてあるので、簡単にガラス製の容器本体と分別できるが、ペン先保護用アダプターは、前記したようにキャップ嵌合部の内壁面にくっついてしまっており、水洗いしただけでは容器本体から容易に取り出すことができず、ガラス製の容器本体と合成樹脂製のペン先保護用アダプターを容易に分別できないという問題があった。
【先行技術文献】
【特許文献】
【０００７】
【特許文献１】特開２００７−７６１４４号公報
【特許文献２】意匠登録第１１０８８５０号公報
【発明の概要】
【発明が解決しようとする課題】
【０００８】
本発明が解決しようとする課題は、容器本体の内部に、筆記具用インキを収容し、筆記具用インキを滞留するインキ滞留部を有したペン先保護用アダプターを挿着したインキ収容容器において、容器本体からペン先保護用アダプターを容易に取り出し易いようにすることである。
【課題を解決するための手段】
【０００９】
本発明は、
「１．容器本体の内部に、筆記具用インキを収容し、筆記具用インキを滞留するインキ滞留部を有したペン先保護用アダプターを挿着してなるインキ収容容器において、前記ペン先保護用アダプターの内壁面に、指や棒状体の先端を引っ掛けるための引っ掛け部を設けたことを特徴とするインキ収容容器。
２．前記引っ掛け部を、指等が引っ掛かるための貫通孔で構成した、前記１項に記載のインキ収容容器。」
である。
【００１０】
本発明において引っ掛け部とは、指や棒状体の先端が引っ掛かり、ペン先保護用アダプターを容器本体の内部から引き出すことができるようペン先保護用アダプターの内壁面に突出した突出部や貫通孔や凹溝等を形成したもので、形状については制約されない。しかし、内部に突出した突出等で構成すると、万年筆に筆記具用インキを補給するために万年筆のペン先部を容器本体内に挿入する際に挿入の妨げとなるし、凹溝だと指等の引っ掛かりが浅くなりペン先保護用アダプターを容器本体の内部から引き出し難いので、貫通孔だと指等を確実に引っ掛け部に引っ掛けることができるので好ましい。
【発明の効果】
【００１１】
本発明は前記したような構造なので、ペン先保護用アダプターが、該ペン先保護用アダプターと容器本体の内壁面との隙間に侵入した筆記具用インキが固化して、容器本体の内壁面にくっついてしまっても、引っ掛け部に指や容器本体内に挿入可能な棒状体を引っ掛けて容器本体から引っ張り出すようにすれば、容易にペン先保護用アダプターを容器本体から取り出すことができ、ガラス製の容器本体と合成樹脂製のペン先保護用アダプターを分別して廃棄することが可能なる。
【図面の簡単な説明】
【００１２】
【図１】本発明のインキ収容容器の実施例を示す、インキ収容容器の断面図である。
【図２】図１におけるキャップを除いた容器本体の上から見た図である。
【図３】図１におけるペン先保護用アダプターの図で、（ａ）は左側から見た状態の側面図であり、（ｂ）は上から見た状態の図である。
【発明を実施するための最良の形態】
【００１３】
ペン先保護用アダプターの内壁面に、指等を引っ掛けるための引っ掛け部となる貫通孔を設ける。
【実施例】
【００１４】
本発明のインキ収容容器の実施例を図面を用いて説明する。本実施例のインキ収容容器１は、従来のインキ瓶と呼ばれているガラス製のインキ収容容器と同様にガラス製の容器本体２と合成樹脂製のキャップ３とからなり、容器本体２にはキャップ３をねじ嵌合する突出したキャップ嵌合部４を有した形状とし、容器本体２の内部に筆記具用インキ５を収容するものである。容器本体２内には、合成樹脂製で器状のペン先保護用アダプター６を着脱可能に挿着してある。
【００１５】
ペン先保護用アダプター６は、図１および図３に示すように、従来のペン先保護用アダプターと同様に、万年筆等のペン先（図示せず）を有した軸筒の先端部を挿入可能な大径で挿入口７を有した本体部８と、各種の万年筆のペン先部が挿入可能なペン先挿入部９で構成されている。ペン先挿入部９の底部１０は容器本体２の底部１１に形成した凹部１２に係止して、ペン先保護用アダプター６が容器本体２の内部に略垂直状態の姿勢で維持されるようにしてある。本体部８の側面１３の対向した２箇所には、挿入口７に開口した切欠部１４を設けて、挿入口７に向って延び、挿入口７側を自由端１５としペン先挿入部９側を本体部８に連設してなる、挿入口７に近づくにしたがって拡径する突片部１６と、途中曲折部１７を介して、挿入口７に近づくにしたがって縮径する突片部１８とで構成された、ペン先保護用アダプター６に対して外側に突出した突片１９を形成してある。
【００１６】
前記突片１９の縮径した突片部１８を、容器本体２のキャップ嵌合部４から外径が幅広となる前端部２０へ連設するの曲折部２１の内壁面に当接して、ペン先保護用アダプター６の筆記具用インキ５による浮き上がりを防止し、ペン先保護用アダプター６の挿入口７が容器本体２の口元部２２より離間して位置するようにしてある。これは、容器本体２の口元部２２において、ペン先保護用アダプター６の外壁面との間に形成された微小隙間に毛細管現象が作用するなどして筆記具用インキ５が滞留して、口元部２２が筆記具用インキ５で汚れ、その筆記具用インキ５によりキャップ３も筆記具用インキ５で汚れてしまうという問題を解消するためである。
【００１７】
ペン先保護用アダプター６の本体部８の挿入口７に近い側面１３ａで、前記突片１９と周方向において９０度ずれた１箇所に、指等を引っ掛けるための貫通孔で構成した引っ掛け部２３を設けてある。
【００１８】
従来のペン先保護用アダプターと同様に、ペン先挿入部９内を、前記切欠部１４により容器本体２内の筆記具用インキ５が流動して滞留するインキ滞留部２４としてある。また、従来のインキ収容容器と同様に、キャップ３の内側には、容器本体２の口元部２２を水密に閉塞するための板状のゴムパッキン２５を設けてある。
【００１９】
本実施例におけるペン先保護用アダプター６には、突片１９を設けてあるが、ペン先保護用アダプター６を容器本体２の内部から取り出す際には、縮径した突片部１８が容器本体２の前端部２０の曲折部２１の内壁面に当接しているので、突片１９が容器本体２の前記曲折部２１の内壁面により内側方向に変位するので、ペン先保護用アダプター６を容器本体２の内部から取り出す際の妨げとならない。また、ペン先保護用アダプター６を難なく容器本体２内に挿入することができる。
【００２０】
本実施例のインキ収容容器は、キャップ嵌合部４の内壁面と該内壁面に対向したペン先保護用アダプター６の外壁面との間に形成された微小隙間に毛細管現象により筆記具用インキが滞留し、時間の経過とともに滞留した筆記具用インキが乾燥して固化し、ペン先保護用アダプター６がキャップ嵌合部４の内壁面にくっついてしまっていても、引っ掛け部２２に指等を引っ掛けてペン先保護用アダプター６を取り出すことで、容易に容器本体２内からペン先保護用アダプター６を取り出すことができる。
【産業上の利用可能性】
【００２１】
本発明は、液体を収容した容器で、容器本体や容器本体のキャップを嵌合するキャップ嵌合部の内部に、容器本体とは別部材の内部材を挿着した構造のものにおいて、本体から別部材を取り出し易いようにしたい場合に適用できる。
【符号の説明】
【００２２】
１  インキ収容容器
２  容器本体
５  筆記具用インキ
６  ペン先保護用アダプター
２３  引っ掛け部
２４  インキ滞留部
【図１】
2011245690.tif 000003
【図２】
2011245690.tif 000004
【図３】
2011245690.tif 000005